(57)【要約】【課題】設置が容易で、安全かつ癒し効果を与える可搬型の照明装置を提供する。【解決手段】  複数の突起物または凹凸を表面に有する部材の表面の一部に、電気的な照明装置を配置し、任意の方向に照明装置を位置決めする機能を付加する可搬型の照明装置を提供する。  照明装置は、発光ダイオード、有機エレクトロルミネッセンス（ＥＬ）を利用することで安全性を確保した可搬型の照明装置を提供する。  凹凸を表面に有する部材に栄螺（サザエ）の殻を用いることで、癒し効果を与える可搬型の照明装置を提供する。  照明装置は、その明るさや色合いが時間的変化することで、癒し効果を与える可搬型の照明装置を提供する。【選択図】図１
2009004338.tif 000002
【特許請求の範囲】
【請求項１】
複数の突起物または凹凸を表面に有する部材の表面の一部に、電気的な照明装置を配置したことを特徴とする照明装置。
【請求項２】
複数の突起物または凹凸を表面に有する部材が巻貝の殻であるこを特徴とする請求項１の照明装置。
【請求項３】
複数の突起物または凹凸を表面に有する部材が栄螺（サザエ）の殻であることを特徴とする請求項１の照明装置。
【請求項４】
電気的な照明装置は、発光ダイオード、有機エレクトロルミネッセンス（ＥＬ）を利用したものであることを特徴とする請求項１の照明装置。
【請求項５】
突起物または凹凸の範囲が、１から３０ｍｍの範囲であることを特徴とする請求項１の照明装置。
【請求項６】
電気的な照明装置は、その明るさが時間的に変化することを特徴とする請求項１の照明装置。
【発明の詳細な説明】
【技術分野】
【０００１】  本発明は、屋内外で使用される懐中電灯等の可搬の照明器具に関するものである。懐中電灯は、乾電池を電源として、豆電球を点灯するように装置した可搬の小型電灯である。
【背景技術】
【０００２】  懐中電灯等の可搬の照明器具には、発光部に豆電球または発光ダイオードを利用したものがある。その可搬の照明器具の電気を供給する電源には、乾電池の他、充電可能な蓄電池を利用したものがある。また、古くは、蝋燭（ろうそく）等の油、木材当の燃焼する際に発生する火炎から発生する光を照明とする可搬の照明器具もある。蝋燭等の油、木材当の燃焼する際に発生する火炎から発生する光を照明装置に螺灯（らとう）がある。螺灯は栄螺（サザエ）の殻に鯨油（げいゆ＝くじらの油）や菜種油を入れ、灯芯を油中に入れ、点火して使用する（新居浜市の別子銅山では、明治２８年（１８９５）頃まで螺灯が使われていた。また、明治２８年（１８９５）以降は鉄製種油灯やブリキ製種油灯が使われるようになり、時代と共に変化していった）。また、照明装置においては、癒しの効果を持たせるための照明装置がある。
【発明の開示】
【発明が解決しようとする課題】
【０００３】  可搬の照明器具は、屋内外で使用する場合に、使用者が手に持ち照明しようとする場所を照明する他に、照明しようとする場所の付近に置き利用する場合がある。屋外の場合などは、可搬の照明器具を置く場所によって、照明装置を照明しようとする方向に固定することが容易ではない場合が少なくない。この場合には、所定の方向に固定する冶具または装置が利用される場合がある。【０００４】  螺灯（らとう）は、栄螺（サザエ）の殻に燃焼させる油に、灯芯を配置している。螺灯は栄螺（サザエ）の殻を利用していることから凹凸と複数の突起物を有するために、照明器具を置く場所で、照明方向が利用者の置き方によってある程度定めることができる。しかし、栄螺（サザエ）の殻に燃焼させる油を入れる必要があり、方向によっては、油が流出するなど照明装置を照明しようとする方向の設定範囲が狭くなる問題があった。また、油等の燃焼を利用する場合には、煤（すす）の発生など、火災や安全上の問題が多くあった。
【課題を解決するための手段】
【０００５】  本発明は、螺灯の問題点である照明方向と位置の固定の機能範囲を拡大し、かつ、安全で癒しの効果をもつ可搬型の照明装置を提供するものである。
【発明の効果】
【０００６】  本発明は、坑道（間歩）や家庭、店舗の内外において、安全に使用でき、かつ癒しの効果を与える利点がある。さらに、洞くつや鍾乳洞を有する観光地における、土産としても利用できる。
【発明を実施するための最良の形態】
【０００７】  螺灯の問題点である照明方向と位置の固定の機能範囲を拡大し、かつ、安全で癒しの効果をもつ可搬型の照明装置を提供するという目的を、簡単な回路を用いて実現した。
【実施例１】
【０００８】  本発明の、具体例を図１に示す。図１では、突起物を有する部材として、従来の技術で利用されていた螺灯で利用された巻貝である栄螺の殻を利用した。電気的照明には、発光ダイオードを用いた。発光ダイオードは、４０ｍＷの黄色光源を用いた。電源には、小型のボタン乾電池を使用した。また、回路には、オンオフのためのスイッチと電流制限抵抗を付加した。【０００９】  発光ダイオードは、栄螺の殻に装着するために、円形平板状のプリント基板（直径２０ｍｍ×厚さ１ｍｍ）の上面に発光ダイオードを装置し、下面にボタン電池（リチウム電池、直径１５ｍｍ×厚さ４ｍｍ）、電流制限素子、スイッチを装置し、それぞれを直列に配線した。上面の発光ダイオードの外部には、光の拡散のために、半透明白色のプラスチック製のキャップを装置した。プリント基板の上面には、栄螺の蓋に開口部を設け、半透明白色のキャップが露出する構造とした。プリント基板の周囲には、弾力性と絶縁性のある部材として、厚さ２ｍｍのコルクシートを、７ｍｍ幅の帯状に切断した後、巻きつけ、栄螺の蓋の周囲に数ミリ幅ではみ出すまで、巻きつけ接着剤で固めた。このように製作した電気照明装置を、栄螺の殻の開口部に装着することで、本発明の可搬型照明装置を製作した。【００１０】  実際の使用時には、電気照明装置を栄螺の殻から、はずし、電気スイッチをオンし、照明装置が動作したことを確認して、栄螺の殻に挿入し利用する。栄螺の殻への電気照明の挿入固定は、弾力性のあるものを利用することで、殻開口部の形状にあわせ変形し、栄螺の殻開口部に機械的に装着されるようにした。製作した照明器具は、電気的な照明を有する螺灯の構造となっている。【００１１】  栄螺の殻は、巻貝特有の螺旋構造とその外部に突起物を有する。実施例で使用した栄螺の大きさは、高さ約９０ｍｍ、幅約７０ｍｍ、開口部の大きさ直径４０ｍｍ、周囲の突起物の直径２ｍｍから５ｍｍ、高さ１ｍｍから２０ｍｍ程度であった。突起物の面密度は１から５本／ｃｍ２程度であった。製作した照明器具を照明しようとする任意の方向に配置することは、栄螺の突起物と凹凸は有効に作用し、かなり利用範囲が広いことが確認された。さらに、中空の栄螺の殻を用いることで、殻本体に手を加えなくて良い、特長を有する照明となった。【００１２】  従来の技術である螺灯に比べ、油もれや火災、すすなどの安全上の問題もなく、非常に利用しやすい照明器具であることが確認された。【００１３】  本発明における凹凸または突起物を有する部材として、自然界にある栄螺の殻を利用することは、食用になった栄螺の殻を照明器具として利用するものであり、炭酸ガス削減等の環境保護の観点からも有用である。【００１４】  本発明における電気的照明装置については、各種の改良が可能である。特に、屋外での使用や水中での使用も可能にすることできる。電池への充電については、電磁誘導装置を利用して、電池に充電する構造を設け、スイッチを防水に加工して栄螺の開口部から操作できるようにすることが考えられる。また、照明装置の改良点として、癒しの機能を付加することも可能である。発行ダイオードを赤、青、緑など複数の発光色のものを組み合わせて使用し、プログラム内蔵の集積回路等の電子回路を照明装置に具備し、時間的なゆらぎや、色合いの時間的な変化を与えることで癒しの機能を与えることも考えられる。
【産業上の利用可能性】
【００１５】  家庭、店舗の内外、洞くつや鍾乳洞などを有する観光地において、設置が容易で、安全かつ癒し効果を与える照明器具として適用できる。
【図面の簡単な説明】
【００１６】
【図１】複数の突起物を有する部材を用いた場合の実施方法を示した説明図である。（実施例１）
【図２】従来の技術である螺灯を用いた場合の実施方法を示した説明図である。
【符号の説明】
【００１７】１  突起物を有する部材
２  突起物
３  電気的照明を収納する開口部
４  配置場所
５  発光ダイオード
６  開口部（３）を塞ぐ部材
７  電池
８  スイッチ
９  栄螺（サザエ）の殻
１０  鯨油や菜種油
１１  灯芯
１２  栄螺（サザエ）の蓋に穴を開けたもの
【図１】
2009004338.tif 000003
【図２】
2009004338.tif 000004